(57)【要約】  タバコ製品またはタバコ関連商品または喫煙デバイス用のパッケージ(24;124;224)が、RFIDタグ(10;110)を含み、RFIDタグ(10;110)は、シーリング部分(14)を備え、パッケージに組み込まれるかまたは貼付される。パッケージが開封されると、シーリング部分(14)は破壊される。RFIDタグは、リーダデバイス(34)の要求があり次第、シーリング部分(14)が損なわれていないか、それとも破壊されたかを示すステータス情報を送信するように構成される。
2019501083.tif 000002
【特許請求の範囲】
【請求項１】
タバコ製品またはタバコ関連商品または喫煙デバイス用のパッケージ（２４；１２４；２２４）であって、前記パッケージ（２４；１２４；２２４）はＲＦＩＤタグ（１０；１１０）を含み、前記ＲＦＩＤタグ（１０；１１０）は、シーリング部分（１４）を備えるとともに、前記パッケージ（２４；１２４；２２４）が開封される場合に前記シーリング部分（１４）が破壊されるように、前記パッケージ（２４；１２４；２２４）に組み込まれるかまたは貼付される、パッケージ（２４；１２４；２２４）において、
前記ＲＦＩＤタグ（１０；１１０）が、リーダデバイス（３４）の要求があり次第、前記シーリング部分（１４）が損なわれていないか、それとも破壊されたかを示すステータス情報を送信するように構成されていることを特徴とする、パッケージ（２４；１２４；２２４）。
【請求項２】
前記シーリング部分（１４）は、前記ＲＦＩＤタグ（１０）のＩＣ（１８）に接続された、導電性要素（２２）、好ましくは少なくとも１つの導電性ループを含み、前記導電性要素（２２）は、前記シーリング部分（１４）が破壊される場合に切断されるように構成されている、請求項１に記載のパッケージ（２４）。
【請求項３】
前記ＲＦＩＤタグ（１０）は、前記リーダデバイス（３４）の要求があり次第、前記ステータス情報と一緒に一意のタグＩＤなどの識別情報を送信するように構成されている、請求項１または２に記載のパッケージ（２４）。
【請求項４】
前記パッケージは、
−  オプションで内側ライナ（２８）および／もしくは外側包装体（３０）を含む、カートンもしくは紙ベースのボックスもしくは包み（２４）もしくはブックレット、または複数のそのようなボックスもしくは包みもしくはブックレットを含むコンテナ、あるいは
−  好ましくは金属および／またはプラスチックから形成された、ブリキ缶または缶（１２４）またはキャニスタ、あるいは
−  好ましくはプラスチックまたは箔でライニングを施した紙から形成されたポーチ（２９）
である、請求項１から３のいずれか一項に記載のパッケージ（２４；１２４；２２４）。
【請求項５】
前記パッケージ（２４；１２４；２２４）は、
−  シガレット、スモールシガー、シガー、もしくはルースタバコなどの喫煙可能タバコ製品、または
−  かみタバコ、ディッピングタバコ、溶解性タバコ、スヌース、もしくはスナッフなどの無煙タバコ
の形をとるタバコ製品
を含み、
あるいは前記パッケージ（２４；１２４；２２４）は、
−  シガレット用のシガレットペーパー、フィルタ、チューブ、またはフィルタチューブなどの喫煙可能または喫煙不可能タバコ関連商品
を含み、
あるいは前記パッケージ（２４；１２４；２２４）は、
−  電子シガレットやエーロゾル発生デバイスなどの電子または非電子喫煙デバイス
を含む、請求項１から４のいずれか一項に記載のパッケージ（２４；１２４；２２４）。
【請求項６】
タバコ製品またはタバコ関連商品または喫煙デバイス用のパッケージ（２４；１２４；２２４）を作製する方法であって、
−  タバコ製品またはタバコ関連商品または喫煙デバイスを格納するように構成されるパッケージを準備するステップ（Ｓ１）と、
−  シーリング部分（１４）を備えるＲＦＩＤタグ（１０）を準備し、前記パッケージ（２４；１２４；２２４）が開封される場合に前記シーリング部分（１４）が破壊されるように、前記ＲＦＩＤタグ（１０）を前記パッケージ（２４；１２４；２２４）に組み込むかまたは貼付するステップ（Ｓ２）と
を含む方法において、
前記ＲＦＩＤタグ（１０）は、リーダデバイス（３４）の要求があり次第、前記シーリング部分（１４）が損なわれていないか、それとも破壊されたかを示すステータス情報を送信するように構成されることを特徴とする、方法。
【請求項７】
−  前記パッケージ（２４；１２４；２２４）にタバコ製品またはタバコ関連商品または喫煙デバイスを充填するステップと、
−  前記パッケージ（２４；１２４；２２４）を封じるステップと、
をさらに含む、請求項６に記載の方法。
【請求項８】
請求項１から５のいずれか一項に記載のタバコ製品またはタバコ関連商品または喫煙デバイス用のパッケージ（２４；１２４；２２４）と、好ましくはモバイルデバイスの形をとる、リーダデバイス（３４）と、を含むシステム（４０）であって、前記リーダデバイス（３４）が、前記パッケージ（２４；１２４；２２４）の前記ＲＦＩＤタグ（１０）から識別情報および前記ステータス情報を読み出すように、かつ前記ステータス情報に基づいて、前記ＲＦＩＤタグ（１０）の前記シーリング部分（１４）が、損なわれていないか、それとも破壊されたかを示すステータス信号を出力するように、構成されている、システム（４０）。
【請求項９】
通信網（３６）を介して前記リーダデバイス（３４）に接続された外部サーバ（３８）をさらに備え、前記リーダデバイス（３４）は、前記識別情報および／または前記ステータス情報を前記外部サーバ（３８）に送信するように構成されており、前記外部サーバ（３８）は、前記識別情報および／または前記ステータス情報を処理するように構成されている、請求項８に記載のシステム（４０）。
【請求項１０】
前記外部サーバ（３８）は、前記ステータス情報および／または前記識別情報に応じて、前記パッケージ（２４）に関する補足データを提供するように構成されており、かつ前記リーダデバイス（３４）は、前記補足データを処理するように構成されている、請求項９に記載のシステム（４０）。
【請求項１１】
前記外部サーバ（３８）は、前記シーリング部分（１４）が破壊されたことを前記ステータス情報が示す場合にのみ、前記補足データの少なくとも一部を提供するように構成されている、請求項１０に記載のシステム（４０）。
【請求項１２】
−  請求項１から５のいずれか一項に記載のタバコ製品またはタバコ関連商品または喫煙デバイス用のパッケージ（２４；１２４；２２４）を準備するステップ（Ｔ１）と、
−  リーダデバイス（３４）を用いて、前記ＲＦＩＤタグ（１０）の識別情報および前記ステータス情報を読み出すステップ（Ｔ２）と、
−  前記リーダデバイス（３４）によって、前記ステータス情報に基づいて、前記パッケージ（２４；１２４；２２４）の前記ＲＦＩＤタグ（１０）の前記シーリング部分（１４）が損なわれていないか、それとも破壊されたかを示すステータス信号を出力するステップ（Ｔ３）と、
を含む、消費者通信方法。
【請求項１３】
−  前記リーダデバイス（３４）によって、前記識別情報および前記ステータス情報を外部サーバ（３８）に送信するステップ（Ｔ４）と、
−  前記外部サーバ（３８）によって、前記識別情報および／または前記ステータス情報を処理するステップ（Ｔ５）と、
をさらに含む、請求項１２に記載の消費者通信方法。
【請求項１４】
−  前記ステータス情報および／または前記識別情報に応じて、前記パッケージ（２４；１２４；２２４）に関する補足データを前記リーダデバイス（３４）に提供するステップ（Ｔ６；Ｔ７．１；Ｔ７．２）と、
−  前記リーダデバイス（３４）によって、前記補足データを処理するステップ（Ｔ８）と、
をさらに含む、請求項１３に記載の消費者通信方法。
【請求項１５】
前記シーリング部分（１４）が破壊されたことを前記ステータス情報が示す場合にのみ、前記補足データの少なくとも一部が提供される、請求項１４に記載の消費者通信方法。
【発明の詳細な説明】
【技術分野】
【０００１】
本発明は、一般に、喫煙可能もしくは喫煙不可能タバコ製品、特に原料タバコ、シガレット、もしくはスヌース用の、または喫煙可能もしくは喫煙不可能タバコ関連商品、特にシガレット用のシガレットペーパー、フィルタ、チューブ、もしくはフィルタチューブ用の、または電子もしくは非電子喫煙デバイス、特に電子シガレット、もしくはエーロゾル発生デバイス用のパッケージであって、RFIDタグを含むパッケージに関する。本発明はさらに、そのようなパッケージを作製する方法、そのようなパッケージを備えるシステム、およびそのようなパッケージに関連する消費者通信方法に関する。
【背景技術】
【０００２】
タバコ製品またはタバコ関連商品または喫煙デバイスを、特に袋、折畳みボックス、および缶の中にパッケージングすることが知られている。知られているパッケージは、例えば、旋回式のもしくは取外し可能なキャップ、引き出すかもしくは外に開くことのできる内側部分、または取外し可能な缶蓋の形をとる、包囲体(closure)を有することができる。
【０００３】
当技術分野では、電子商品監視のためにも製品の認証および/または識別のためにも、RFIDタグを含むタバコ製品パッケージングを提供することが知られている。具体的には、RFIDタグは、製品の本物性または真正性を証明する安全要素として働くことができる。あるいは、RFIDタグは、それぞれのタバコ製品パッケージングが改ざんされたか否か、特に、パッケージがすでに開封されたか否かを示す、シールとして使用されてもよい。そのために、パッケージング上にRFIDタグを、パッケージングが改ざんまたは開封される場合にRFIDタグのアンテナおよび/またはチップが破壊されるように、配置することが提案されてきた。換言すれば、RFIDタグはその場合、非活動状態になり、もはや本物性特徴物として使用することはできない。
【発明の概要】
【発明が解決しようとする課題】
【０００４】
偽造に対する保護の改善ならびに利便性の向上をもたらす、タバコ製品またはタバコ関連商品または喫煙デバイス用のパッケージを提案することが、本発明の目的である。
【課題を解決するための手段】
【０００５】
この目的は、タバコ製品またはタバコ関連商品または喫煙デバイス用のパッケージ、それを作製する方法、システム、および消費者通信方法によって解決され、その特徴は、独立請求項に定められる。好ましい実施形態および強化事項は、従属請求項に定められる。
【０００６】
本発明の一態様によれば、タバコ製品またはタバコ関連商品または喫煙デバイス用のパッケージであって、RFIDタグを含むパッケージが提供される。RFIDタグは一般に、少なくとも集積回路(IC)およびアンテナを含む。ICは、少なくとも、タグを識別する一意のタグ情報、例えば一意のタグ識別番号(タグID)を記憶することができる。RFIDタグは、シーリング部分を備え、パッケージが開封される場合にシーリング部分が破壊されるように、パッケージに組み込まれるかまたは貼付される。RFIDタグは、適切なリーダデバイスの要求があり次第、シーリング部分が損なわれていないか、それとも破壊されたかを示すステータス情報を送信するように構成される。特に、RFIDタグは、シーリング部分が破壊された場合にもステータス情報を送信するように構成される。換言すれば、RFIDタグは、シーリング部分を切断することによって、破壊されるのではなく、変更されるにすぎない。
【０００７】
下で便宜のためしばしば単に「パッケージ」または「パッケージング」と呼ばれる、タバコ製品またはタバコ関連商品または喫煙デバイス用の本発明のパッケージは、RFIDタグが、本物性特徴物としてもシールとしても働くことができるという利点を有し、この場合、シールは、それぞれのパッケージがすでに開封または改ざんされたか否かを示す。製品の本物性は、パッケージを開封する前、および開封した後にチェックされ得る。下で詳細に記載するように、この特定のRFIDタグのため、パッケージは実際のところ、消費者通信方法をサポートする、すなわち、タバコ製品またはタバコ関連商品または喫煙デバイス用のパッケージを購入した消費者の所有する、スマートフォンなど、適切な通信デバイスを介した、パッケージとパッケージの製造業者/ベンダとの間の双方向通信をサポートする、双方向パッケージとなっている。通信デバイスは、一方では、RFIDタグに関するリーダとして働くことができ、他方では、RFIDタグから読み出した情報を、製造業者/ベンダの外部サーバに送信し、送信した情報に応答して外部サーバから受信した補足データを受信および処理することができる。
【０００８】
好ましくは、RFIDタグは、パッシブRFIDタグ、すなわち、その1つの電源を含むのではなく、リーダデバイスによって提供される電磁界によって給電されるタグである。あるいは、RFIDタグは、電源を含んでもよい。
【０００９】
好ましくは、RFIDタグは、NFCをサポートする標準的なモバイルデバイスによって読み出すことができるように、NFC(近距離無線通信)標準規格に準拠するように構成される。そのようなRFIDタグは一般に、NFCタグとも呼ばれる。
【００１０】
一実施形態によれば、シーリング部分は、導電性要素、好ましくは少なくとも1つの導電性ループを含む。導電性要素は、RFIDタグのICに導電接続されており、導電性要素は、シーリング部分が破壊される場合に切断されるように構成される。一般に、シーリング部分を破壊すると、または具体的には導電性要素を切断すると、RFIDタグの、ステータス情報の送信に関する論理および/または動作に影響が及ぶ。換言すれば、RFIDタグは、シーリング部分、または具体的にはシーリング部分の導電性要素の破壊を検知するように構成されており、この導電性要素は、RFIDタグのICに接続されている。リーダデバイスの要求があり次第RFIDタグによって送信されるステータス情報の値は、シーリング部分のステータス(損なわれていないか破壊されたか)に応じて決まる。
【００１１】
特定の一実施形態によれば、シーリング部分は、複数のサブ部分を備えることができ、この場合、これらのサブ部分の各々は、RFIDタグのICに接続されている導電性要素を含む。RFIDタグは、この場合、シーリング部分の少なくとも1つのサブ部分の破壊を、シーリング部分の破壊として解釈する。この実施形態は、さまざまな位置においてかつ/またはさまざまな方途で開封され得るパッケージを安全にすることを可能にする。
【００１２】
一般に、RFIDタグは、リーダの要求があり次第、ステータス情報と一緒に一意のタグIDなどの識別情報を送信するように構成される。識別情報は、パッケージングのステータスとは関係なく送信される。
【００１３】
一実施形態によれば、RFIDタグは、ラベルの形で提供される。そのようなラベルは、例えば、パッケージに、好ましくは接着剤を用いて貼付され得る。この場合、RFIDタグは、好ましくは、シーリング部分がパッケージングの第1の部分と第2の部分との間の境界のところに位置付けられるようにパッケージングに貼付され、この第1の部分と第2の部分は、パッケージが開封される場合に互いに対して変位する。あるいは、そのようなラベルは、パッケージが開封される場合にシーリング部分が破壊されるように、パッケージング内の、例えばパッケージングの異なる層間に、組み込まれてもよい。
【００１４】
好ましい一実施形態によれば、RFIDタグの電子回路の少なくとも一部が、印刷によって生成される。それにより、RFIDタグが低コストで作製され得る。さらに、それぞれ作製されたRFIDタグは、可撓性かつ非常に平坦であり、したがって、さまざまな種類のパッケージに容易に統合または貼付され得る。あるいは、IC、アンテナ、およびシーリング部分となっている導電性要素が、パッケージ上に直接配置され、特にパッケージに直接印刷されてもよい。
【００１５】
タバコ製品またはタバコ関連商品または喫煙デバイス用のパッケージは、さまざまな寸法でさまざまな材料から形成され得る。一実施形態によれば、パッケージは、シガレットハードパックやシガレットソフトパックなど、カートン(carton)または紙ベースのボックスまたは包みである。オプションで、それぞれの包みまたはボックスは、例えば風味維持のために、内側ライナを含んでよい。内側ライナは、例えば、アルミニウム箔ラミネートを備えることができる。その代わりにまたはそれに加えて、包みまたはボックスは、例えば風味および/または湿度維持のために、外側包装体を備えてもよい。外側包装体は、例えば、プラスチックのフィルムまたは箔を備えてよい。特定の一実施形態によれば、紙またはカートンベースのパッケージは、複数の上述したボックスまたは包みを含むコンテナとして形成される。そのようなコンテナは、例えば、複数のボックスまたはパックを一緒に保持する紙ベースの包装体によって形成され得る。
【００１６】
これらのタイプのパッケージングは一般に、シガレット、スモールシガー、およびシガーなどのタバコ製品を格納する働きをする。シガーは、オプションで内側ライナおよび/または外側包装体を含む木製ボックス内に格納されてもよい。
【００１７】
さらに、紙またはカートンベースのパッケージは、シガレット用のシガレットペーパー、フィルタ、チューブ、またはフィルタチューブなどの喫煙可能または喫煙不可能タバコ関連商品を格納するために使用されてもよい。シガレットペーパーは、紙またはカートンベースのブックレット内に格納されてもよい。
【００１８】
別の実施形態によれば、パッケージは、好ましくは金属および/またはプラスチックから形成された、ブリキ缶(tin)または缶またはキャニスタまたはボックスとして形成され得る。そのようなブリキ缶、缶、またはボックスは、蓋またはカバーを用いて封じられ得る開口を備えることができる。蓋は、例えば、ブリキ缶またはボックスに、ヒンジを用いて接続され得る。あるいは、カバーは、スクリューキャップ、単に載せられるかもしくは差し込まれるキャップ、または同様のものとして設けられてもよい。
【００１９】
これらのタイプのパッケージは一般に、ルース手巻きタバコや、かみタバコ、ディッピングタバコ、スヌース、溶解性タバコ、スヌース、もしくはスナッフといった無煙タバコなどのタバコ製品を格納する働きをする。電子シガレットやエーロゾル発生デバイスなどの電子または非電子喫煙デバイスも、好ましくは、これらのタイプのパッケージ内に格納される。
【００２０】
さらに別の実施形態によれば、パッケージは、好ましくはプラスチックまたは箔でライニングを施した紙から形成されたポーチとして形成され得る。この場合もやはり、箔または同様のものから成る外側包装体はオプションである。
【００２１】
このタイプのパッケージも、ルース手巻きタバコや無煙タバコなどのタバコ製品を格納する働きをすることができる。
【００２２】
第2の態様によれば、タバコ製品またはタバコ関連商品または喫煙デバイス用のパッケージを作製する方法が提供される。方法は、タバコ製品、タバコ関連商品、または喫煙デバイスを格納するように構成されるパッケージングを準備するステップを含む。方法は、シーリング部分を備えるRFIDタグを準備し、パッケージが開封される場合にシーリング部分が破壊されるように、RFIDタグをパッケージに組み込むかまたは貼付するステップをさらに含む。第1の態様によるタバコ製品またはタバコ関連商品または喫煙デバイス用のパッケージに関してすでに上で詳細に説明したように、RFIDタグは、リーダの要求があり次第、シーリング部分が損なわれていないか、それとも破壊されたかを示すステータス情報を送信するように構成される。
【００２３】
方法は、パッケージングにタバコ製品を充填するステップと、パッケージングを封じるステップとをさらに含むことができる。
【００２４】
上述の方法ステップの順序は、パッケージングのタイプ、RFIDタグのタイプ、およびRFIDタグがパッケージに組み込まれるかまたは貼付される様式に応じて、変わることがある。いくつかの場合には、RFIDタグは、パッケージングにタバコ製品が充填されて封じられる前は、パッケージングに貼付されない。他の場合には、最初にRFIDタグがパッケージングに組み込まれてから、パッケージングが充填され封じられる。
【００２５】
第3の態様によれば、上で第1の態様に関して説明したタバコ製品またはタバコ関連商品または喫煙デバイス用の少なくとも1つのパッケージと、好ましくは、スマートフォン、タブレットコンピュータ、または同様のものなどのモバイルデバイスの形をとる、少なくとも1つのリーダデバイスとを含むシステムが提供される。リーダデバイスは、パッケージのRFIDタグから識別情報およびステータス情報を一般に知られている様式で読み出すように、また読み出したステータス情報に基づいて、RFIDタグのシーリング部分が損なわれていないか、それとも破壊されたか、すなわち、パッケージングが開封されたか否かを示す、ステータス信号を出力するように構成される。
【００２６】
一般に、RFIDタグはNFC標準規格に準拠し、リーダデバイスはNFCをサポートする。リーダデバイスには、RFIDタグから読み出した情報を処理するように、特に、ステータス情報に沿ったステータス信号を出力するように構成される、アプリケーション(「app」)がインストールされ得る。このアプリケーションは、下で説明するリーダデバイスの機能をサポートするようにさらに構成され得る。
【００２７】
ステータス信号は、例えば、視覚信号として表示、すなわち出力され得る。その代わりにまたはそれに加えて、ステータス信号は、聴覚信号または触覚的に知覚可能な信号の形で出力されてもよい。
【００２８】
したがって、この方法により、パッケージが損なわれていないか、それともすでに開封または改ざんされたかを、消費者が容易かつ確実にチェックすることが可能になる。
【００２９】
一実施形態によれば、システムは、インターネットや電気通信網など、適切な通信網を介してリーダデバイスに接続される外部サーバをさらに備える。外部サーバは、タバコ製品またはタバコ関連商品または喫煙デバイス用のパッケージの製造業者またはベンダによってホストされ得る。この文脈では、リーダデバイスは、パッケージのRFIDタグから読み出した識別情報および/またはステータス情報を外部サーバに送信するように構成される。外部サーバのほうは、リーダデバイスから受信した識別情報および/またはステータス情報を処理するように、特に、それぞれの情報を1つまたは複数のデータベース内に記憶し、かつ/またはこのタイプの情報を、同じまたは類似の種類の複数のパッケージに関して解析するように、構成される。
【００３０】
外部サーバは、パッケージに関する補足データをリーダデバイスに提供するようにさらに構成され得る。一般に、補足データは、リーダデバイスから受信したステータス情報および/または識別情報に応じて決まる。リーダデバイスのほうは、補足データを処理するように、すなわち記憶および/または出力および/または実行するように、構成される。
【００３１】
第1の変形形態によれば、補足データは、パッケージの本物性または真正性についての本物性情報を含むことができる。このようにして、消費者に、パッケージが真正であるかそれとも偽物であるかが知らされ得る。
【００３２】
第2の変形形態によれば、補足データは、パッケージに関する製品情報を含むことができる。これにより、タバコ製品および/または類似製品についての追加情報を提供することが可能になり、この情報は、例えば、スペースの制約により、パッケージに印刷することのできないものである。
【００３３】
第3の変形形態によれば、補足データは広告を含むことができる。
【００３４】
第4の変形形態によれば、補足データは、例えばインターネットサイト上で、現在の種類のパッケージを直接再注文することのできる、またはタバコ製品についてコメントすることのできる、能力を含むことができる。
【００３５】
一実施形態によれば、外部サーバによって提供される補足データのタイプおよび/または量は、シーリング部分の破壊、すなわちパッケージの開封を、ステータス情報が示すか否かに応じて決まり得る。具体的には、一実施形態によれば、外部サーバは、シーリング部分が破壊されたことをステータス情報が示す場合にのみ、補足データの少なくとも一部を提供するように構成される。この場合、消費者は、タバコ製品パッケージが開封される前に補足データを入手することはできない。
【００３６】
パッケージが開封された後にのみ提供される典型的な補足データは、例えば、ボーナスポイント、割引、またはコンピュータゲームなど、ボーナス素材および/または付加的特徴物である。しかし、タバコ製品についてコメントすることのできる能力、および/またはタバコ製品を直接再注文することのできる能力も、これらの特定の状況下でのみ与えられ得る。
【００３７】
第4の態様によれば、消費者通信方法が提供される。この方法では、第3の態様によるシステムの要素を、上でこのシステムに関してすでに説明した目的のために使用する。
【００３８】
方法は、第1の態様によるタバコ製品パッケージを準備するステップと、リーダデバイスを用いて、RFIDタグの識別情報およびステータス情報を読み出すステップと、リーダデバイスによって、そのステータス情報に基づいて、パッケージのRFIDタグのシーリング部分が損なわれていないか、それとも破壊されたかを示すステータス信号を出力するステップとを含む。
【００３９】
消費者通信方法は、リーダデバイスによって、識別情報およびステータス情報をインターネットや電気通信網など、適切な通信網を介して外部サーバに送信するステップと、外部サーバによって、識別情報および/またはステータス情報を処理するステップとをさらに含むことができる。一実施形態によれば、消費者通信方法は、ステータス情報および/または識別情報に応じて、パッケージに関する補足データをリーダに提供するステップと、リーダデバイスによって、補足データを処理するステップとをさらに含む。
【００４０】
さらなる実施形態によれば、シーリング部分が破壊されたことをステータス情報が示す場合にのみ、補足データの少なくとも一部が提供される。
【００４１】
上で説明した、本発明の特徴、特徴物、および利点、ならびにそれらが得られる様式については、添付の図面を参照して解説する例示的実施形態についての以下の説明に関連付けると、より明らかとなり、より明白に理解されるであろう。
【００４２】
図面では、図の各々において同じ要素番号が同じ要素を示す。
【図面の簡単な説明】
【００４３】
【図１】RFIDタグの好ましい一実施形態の概略正面図である。
【図２Ａ】封じた状態にあるタバコ製品またはタバコ関連商品または喫煙デバイス用のパッケージの第1の実施形態の斜視図である。
【図２Ｂ】開封した状態にあるタバコ製品またはタバコ関連商品または喫煙デバイス用のパッケージの第1の実施形態の斜視図である。
【図３】第2の実施形態によるタバコ製品またはタバコ関連商品または喫煙デバイス用のパッケージの斜視図である。
【図４Ａ】タバコ製品またはタバコ関連商品または喫煙デバイス用のパッケージの第3の実施形態を、斜めから見て示す図である。
【図４Ｂ】タバコ製品またはタバコ関連商品または喫煙デバイス用のパッケージの第3の実施形態を、底部から見て示す図である。
【図５】第4の実施形態によるタバコ製品またはタバコ関連商品または喫煙デバイス用のパッケージの斜視図である。
【図６】タバコ製品またはタバコ関連商品または喫煙デバイス用のパッケージを作製する方法のステップを概略的に示す図である。
【図７】図2のパッケージを含むシステムの構成要素を示す図である。
【図８】図7のシステムを使用した、図2から図5に示す実施形態のうちのいずれか1つによるパッケージに関する消費者通信方法のステップを概略的に示す図である。
【発明を実施するための形態】
【００４４】
図1は、ラベルの形で提供されるRFIDタグ10を示す。そのようなラベルは、図2に示すように、タバコ製品またはタバコ関連商品または喫煙デバイス用のパッケージに、例えば、RFIDタグ10を破壊しない限りはそれを取り外せないようにする適切な接着剤を用いて貼付され得る。あるいは、そのようなラベルは、パッケージ内の、例えば多層パッケージング材の異なる層間に、組み込まれてもよい。
【００４５】
ラベル10は、基層12、14を含み、これは、平坦であり、紙やプラスチックなど、任意の適切な材料から形成され得る。好ましくは、基層は印刷可能である。
【００４６】
RFIDタグ10は、基層12の部分12上に、例えば印刷によって配置された、IC18およびアンテナ20を含む。アンテナ20は、読出しデバイスによって発生する電磁界からのICの電力供給、およびリーダデバイスとの通信を確実なものにするように構成される。
【００４７】
RFIDタグ10は、基層の主要部分12から突き出し、導電性ループ22の形をとる導電性要素22を収容する、シーリング部分14をさらに含む。導電性ループ22は、IC18に接続されている。IC18は、導電性ループが損なわれていないか、それとも切断されているかを検知するように構成される。下で図2A、図2Bに関して説明するように、ラベルのシーリング部分14と主要部分12との間の境界のところに、シーリング部分14の制御された破断を確実なものにするために、所定の切断箇所16が設けられている。
【００４８】
IC18は、少なくとも、一意のタグIDなどの識別情報を記憶するように、かつリーダデバイスの要求があり次第、識別情報と、シーリング部分が損なわれていないか、それとも破壊されたかを示すステータス情報とを送信するように構成される。RFIDタグ10によって送信されるステータス情報の値は、導電性ループ22が損なわれていないか、それとも切断されたかに応じて決まる。
【００４９】
基材主要部分12およびシーリング部分14の具体的な幾何学的形態は、さまざまでよい。RFIDタグは、2つ以上のICおよび/または2つ以上のアンテナを含んでもよい。アンテナの形態もさまざまでよい。
【００５０】
図示していない一実施形態によれば、RFIDタグは、パッケージに直接、すなわち基層を別途設けずに、施与され得る。この場合、IC、アンテナ、およびシーリング部分となっている導電性要素は、例えば、それぞれのパッケージングに印刷され得る。
【００５１】
図2Aおよび図2Bは、封じた状態にある(図2A)、また開封した状態にある(図2B)、タバコ製品またはタバコ関連商品または喫煙デバイス用のパッケージ24の第1の実施形態の斜視図を示す。パッケージは、一般に知られているシガレットハードボックス、すなわちヒンジ付き蓋26のあるカートンボックスとして形成される。ボックスの内側のシガレットは、アルミニウム箔ラミネート製の内側ライナ28(図2B参照)によってさらに囲まれる。オプションで(図示せず)、外側包装体、例えばプラスチック箔が設けられ得る。
【００５２】
図1のRFIDタグ10はカートンボックスの正面側に、図2Bに示すように、ヒンジ付き蓋26を開けることによってボックスが開封される場合にシーリング部分14、およびシーリング部分14とともに導電性ループ22が切断されるように、接着される。
【００５３】
一般に、下でさらなる実施形態に関して説明するように、RFIDタグ10は、シーリング部分14がパッケージングの第1の部分と第2の部分との間の境界のところに配置されるようにパッケージ24に組み込まれるかまたはパッケージ24に対して配置され、この第1の部分と第2の部分は、パッケージングが開封される場合に互いに対して変位し、それにより、シーリング部分が破壊する。
【００５４】
図3は、第2の実施形態によるタバコ製品またはタバコ関連商品または喫煙デバイス用のパッケージの斜視図である。この実施形態によれば、RFIDタグ10は、シガレットハードボックスの内側ライナ28の、ライナ28のプルタブ28a(第1の部分)と残りの部分28b(第2の部分)との間の境界のところに施与されている。図を簡潔にするために、外側カートンボックスは図示していない。プルタブ28aを引きちぎると、シーリング部分14および導電性ループ22が切断される。
【００５５】
図4Aおよび図4Bは、タバコ製品またはタバコ関連商品または喫煙デバイス用のパッケージ124の第3の実施形態を、斜めから見て、また底部から見て示す。パッケージ124は、カバー124bを用いて再び封じることの可能な基部部分124aを含む缶の形で提供される。カバー124bは、基部部分124a上に単に載せられるかまたは差し込まれてもよく、スクリューキャップとして設けられてもよい。缶124は、例えば、かみタバコ、ディッピングタバコ、溶解性タバコ、スヌース、またはスナッフなど、任意の種類の無煙タバコを格納する働きをすることができる。
【００５６】
図1に示すRFIDタグとは対照的に、本実施形態のRFIDタグ110は、2つのサブ部分14a、14bを有するシーリング部分14を含む。各サブ部分14a、14bは、順に、導電性ループの形をとる導電性要素22a、22bを含み、これらのループはそれぞれ、IC18に接続されている。ラベルの、IC18およびアンテナ20を含む主要部分12が、缶の底部に貼付される(図4B参照)。シーリング部分14のサブ部分14a、14bは、この場合もやはり、パッケージの、第1の部分、すなわち基部部分124aと第2の部分であるキャップ124bとの間の境界のところに貼付され、これらの部分は、パッケージング124が開封される場合に互いに対して変位する。例えば差込み可能キャップ124bを任意方向に従って開けることによって缶124が開封される場合、サブ部分14a、14bのうちの少なくとも一方が破壊される。別の実施形態によれば、パッケージは、好ましくは金属および/またはプラスチックから形成された、ブリキ缶または缶またはキャニスタまたはボックスとして形成され得る。そのようなブリキ缶、缶、またはボックスは、蓋またはカバーを用いて封じられ得る開口を備えることができる。蓋は、例えば、ブリキ缶またはボックスに、ヒンジを用いて接続され得る。あるいは、カバーは、スクリューキャップ、単に載せられるかもしくは差し込まれるキャップ、または同様のものとして設けられてもよい。
【００５７】
図5は、第4の実施形態によるタバコ製品またはタバコ関連商品または喫煙デバイス用のパッケージ224の斜視図である。パッケージング224は、プラスチック箔製の外側包装体30によって囲まれたポーチ29として形成される。そのようなパッケージングは、例えば、喫煙可能ルース手巻きタバコなどのルースタバコ、または無煙タバコを格納することができる。外側包装体30にRFIDタグ10が、外側包装体30の開封テープ32を引きちぎることによって包装体30が開封される場合にシーリング部分14および導電性ループ22が切断されるように、貼付される。
【００５８】
図6は、タバコ製品またはタバコ関連商品または喫煙デバイス用のパッケージ、例えば上で説明した実施形態のうちのいずれか1つによるパッケージングを作製する方法のステップを概略的に示す。
【００５９】
ステップS1では、タバコ製品、喫煙可能もしくは喫煙不可能タバコ関連商品、または電子もしくは非電子喫煙デバイスを格納するように構成されるパッケージ24、124、224、例えば、カートンボックス(図2参照)、ラミネート加工したライナ(図3参照)、缶(図4参照)、またはポーチ(図5参照)が準備される。さらなるステップS2では、シーリング部分14を備えるRFIDタグ10(図1、図4参照)が準備され、パッケージが開封される場合にシーリング部分14が破壊されるように、パッケージに組み込まれるかまたは貼付される。図1および図2A、図2Bを参照して詳細に説明したように、RFIDタグ10、110は、リーダの要求があり次第、シーリング部分14が損なわれていないか、それとも破壊されたかを示すステータス情報を送信するように構成される。
【００６０】
RFIDタグ10は、パッケージングに接着されてもよく、パッケージングに直接印刷されてもよい。
【００６１】
図7は、タバコ製品またはタバコ関連商品または喫煙デバイス用のパッケージ24を含むシステム40の構成要素を示す。システム40は、好ましくは、スマートフォン、タブレットコンピュータなどのモバイルデバイスの形をとる、少なくとも1つのリーダデバイス34をさらに備える。リーダデバイス34は、パッケージ24のRFIDタグ10から識別情報およびステータス情報を一般に知られている様式で読み出すように、またそのステータス情報に基づいて、RFIDタグ10のシーリング部分14が損なわれていないか、それとも破壊されたか、すなわちパッケージング24が開封されたか否かを示す、ステータス信号を出力するように構成される。
【００６２】
システム40は、インターネットなどの通信網36を介してリーダデバイス34に接続される外部サーバ38をさらに備えることができる。リーダデバイス34は、識別情報および/またはステータス情報を外部サーバ38に送信するように構成され、外部サーバ38は、識別情報および/またはステータス情報を処理するように構成される。
【００６３】
パッケージ24の製造業者またはベンダによってホストされ得る外部サーバ38は、ステータス情報および/または識別情報に応じて、タバコ製品パッケージング24に関する補足データをリーダデバイス34に提供するように構成される。リーダデバイスは、補足データを処理するように、例えば記憶、表示、および/または実行するように、構成される。
【００６４】
下で図8を参照して詳細に説明するように、外部サーバ38は、シーリング部分14が破壊されたことをステータス情報が示す場合にのみ、補足データの少なくとも一部を提供するように構成され得る。
【００６５】
図7に示すシステム40は、消費者通信方法をサポートする働きをすることができ、この方法については、下で図8を参照して説明する。
【００６６】
第1のステップT1では、タバコ製品またはタバコ関連商品または喫煙デバイス用のパッケージ24が準備される。ステップT2では、リーダデバイス34を用いて、RFIDタグ10から識別情報およびステータス情報が読み出される。ステップT3では、リーダデバイス34が、RFIDタグ10から読み出したステータス情報に基づいて、パッケージ24のRFIDタグ10のシーリング部分14が損なわれていないか、それとも破壊されたかを示すステータス信号を出力する。消費者は、このようにして、パッケージが損なわれていないか否かについて簡単かつ確実にチェックすることができる。第1の変形形態によれば、方法はこの段階において停止することができる。第2の変形形態によれば、下に記載するように、さらなるステップが続く。
【００６７】
ステップT4では、リーダデバイスが、識別情報およびステータス情報を通信網36を介して外部サーバ38に送信する。ステップT5において、外部サーバ38によって、それぞれの情報が処理される。この情報の処理は、この情報の記憶および/または解析を含むことができる。またこの段階において、さらなる一変形形態による方法は停止することができる。好ましい一変形形態では、ステータス情報および/または識別情報に応じて、外部サーバ38によって、パッケージ24に関する補足データがリーダデバイス34に提供される。ステップT6では、外部サーバがステータス情報を、すなわちパッケージ24が損なわれていないか、それともすでに開封されたかを、解析する。
【００６８】
パッケージング24の開封をステータス情報が示す場合、ステップT7.2に関して示すように、第1組の補足データがリーダデバイスに提供される。このデータは、一方では、またステータス情報とは無関係に、リーダデバイスによって読み出された識別情報に基づく、特定のパッケージング24に関する本物性情報および/または一般製品情報を含むことができる。他方では、補足データは、さらなる注文に対する割引、コンピュータゲーム、および同様のものなど、パッケージングを購入し開封した消費者向けのボーナス素材を含むことができる。
【００６９】
しかし、ステップT6において外部デバイスが、受信したステータス情報を解析することによって、製品パッケージング24が依然として損なわれていないということを見出した場合には、ステップT7.1において、補足データは、本物性情報および一般製品情報のみを提供するが、ボーナス素材は提供しない。一変形形態によれば、ステップT7.1はこの場合省略されてもよく、すなわち、補足データは提供されない。
【００７０】
ステップT8では、リーダデバイス34が受信した補足データを処理し、特に、本物性情報および一般製品情報を表示する。ボーナス素材は、受信された場合、任意の適切な様式で処理され得る。
【符号の説明】
【００７１】
10、110 RFIDタグ
12  基層主要部分
14  シーリング部分
14a、14b  シーリング部分のサブ部分
16  所定の切断箇所
18  集積回路(IC)
20  アンテナ
22、22a、22b  導電性要素
24、124、224  タバコ製品またはタバコ関連商品または喫煙デバイス用のパッケージ
26  ヒンジ付き蓋
28  内側ライナ
28a  内側ライナのプルタブ
28b  内側ライナの残りの部分
29  ポーチ
30  外側包装体
32  開封テープ
34  リーダデバイス
36  通信網
38  外部サーバ
40  システム
124a  缶基部部分
124b  カバー
S1、S2  タバコ製品またはタバコ関連商品または喫煙デバイス用のパッケージを作製する方法のステップ
T1からT8  消費者通信方法のステップ
【図１】
2019501083.tif 000003
【図２Ａ】
2019501083.tif 000004
【図２Ｂ】
2019501083.tif 000005
【図３】
2019501083.tif 000006
【図４Ａ】
2019501083.tif 000007
【図４Ｂ】
2019501083.tif 000008
【図５】
2019501083.tif 000009
【図６】
2019501083.tif 000010
【図７】
2019501083.tif 000011
【図８】
2019501083.tif 000012
【国際調査報告】
2019501083.tif 000013
2019501083.tif 000014
2019501083.tif 000015